(57)【要約】
【課題】  発光台と電池台の型を各別に作成することなく、しかも発光台と電池台の組み立てを不要として、生産コストの低減を図る。電池台の電池の出し入れを容易にする。
【解決手段】  特に、台１は発光台と電池台を一体化し、上端に発光槽１１、下端に中空の電池槽１２を設けるとともに、発光層１１と電池槽１２との間に穴１１１を設ける。また発光槽１１の側壁に縦方向に切り口１１２を設け、この切り口１１２の下に向けて、電池槽１２の外壁に縦方向の凹型溝１２３を形成する。さらに電池槽１２の壁に対称に下向きの開口１２２を二つ設け、底辺内壁にリング１２１を横方向に突設する。
【選択図】  図１
0003100715.tif 000002
【実用新案登録請求の範囲】
【請求項１】
一端に機能部槽を有し、他端に中空の電池槽を有する台と、
前記機能部槽の上に設置され、長短二本の導線を有する機能部と、
前記電池槽の中に設置される電池と、
前記電池槽の外に巻き付けられ、前記電池槽の底部から突出されるスプリングと、
前記スプリングの突出端に接触し、且つ前記電池槽内の電池のマイナス極と距離を保って配置される金属帽子とを備え、
前記台の前記機能部槽の底部に前記電池槽に通じる穴が設けられ、また前記機能部槽の側壁に前記電池槽に向けて切り口が切り開かれるとともに、この切り口に連続して前記電池槽の外壁に凹型溝を形成され、さらに前記電池槽の壁に２つの開口が対称的に底部に向けて設けられるとともに、該底部の内壁に横方向にリングを突出されて、
前記機能部の前記短い導線が前記機能部槽の穴を通されて、前記電池槽内にある電池のプラス極と接触され、前記長い導線が前記機能部槽の切り口に向けて延伸されて該切り口に沿って曲げられるとともに、前記凹型溝内に入れられて前記スプリングに接触されることを特徴とするタッチ式装置。
【請求項２】
一端に機能部槽を有し、他端に中空の電池槽を有する台と、
前記機能部槽の上に設置され、長短二本の導線を有する機能部と、
前記電池槽の中に設置される電池と、
前記電池槽の外周りに被せ付けられる金属リングと前記金属リングから前記電池槽に沿って延伸されて前記電池槽の底部で略Ｌ字形に曲げられ、その曲げられた部分に隆起する凸部分を有し、該凸部分を前記電池層内の電池のマイナス極と距離を保って配置する導片とを有する導接カバーとを備え、
前記台の前記機能部槽の底部に前記電池槽に通じる穴が設けられ、また前記機能部槽の側壁に前記電池槽に向けて切り口が切り開かれるとともに、この切り口に連続して前記電池槽の外壁に凹型溝を形成され、さらに前記電池槽の壁に２つの開口が対称的に底部に向けて設けられるとともに、該底部の内壁に横方向にリングを突出されて、
前記機能部の前記短い導線が前記機能部槽の穴を通されて、前記電池槽内にある電池のプラス極と接触され、前記長い導線が前記機能部槽の切り口に向けて延伸されて該切り口に沿って曲げられるとともに、前記凹型溝内に入れられて前記導接カバーに接触されることを特徴とするタッチ式装置。
【請求項３】
一端に機能部槽を有し、他端に中空の電池槽を有する台と、
前記機能部槽の上に設置され、長短二本の導線を有する機能部と、
前記電池槽の中に設置される電池とを備え、
前記台の前記機能部槽の底部に前記電池槽に通じる穴が設けられ、また前記機能部槽の側壁に前記電池槽に向けて切り口が切り開かれるとともに、この切り口に連続して前記電池槽の外壁に凹型溝を形成され、さらに前記電池槽の壁に２つの開口が対称的に底部に向けて設けられるとともに、該底部の内壁に横方向にリングを突出されて、
前記機能部の前記短い導線が前記機能部槽の穴を通されて、前記電池槽内にある電池のプラス極と接触され、前記長い導線が前記機能部槽の切り口に向けて延伸されて該切り口に沿って曲げられるとともに、前記凹型溝内に入れられ、さらに前記電池槽の底部で折り曲げられて、該折り曲げ部分が前記電池槽内の電池のマイナス極と距離を保って配置されることを特徴とするタッチ式装置。
【請求項４】
前記機能部は発光体又は発声部品により構成される請求項１乃至３のいずれかに記載のタッチ式装置。
【請求項５】
前記機能部は発光体及び発声部品により構成される請求項１乃至３のいずれかに記載のタッチ式装置。
【請求項６】
前記発光体は、ＩＣと、薄型発光部品と、これらを配置するＩＣプレイトとにより構成される請求項４又は５に記載のタッチ式装置。
【請求項７】
前記穴は前記機能部槽の底部に二つ設けられ、且つ前記切り口は前記機能部層の両側に二つ対称的に設けられるとともに、これら両側の切り口に連続して前記電池槽の外壁に沿って前記凹型溝が二つ形成され、且つこれら二つの穴と二つの切り口及び凹型溝は全て同じ直径上に設けられる請求項１乃至６のいずれかに記載のタッチ式装置。
【請求項８】
前記穴と前記切り口は前記機能部槽の同じ直径上に位置し、この直径上に溝を形成されて、前記機能部の長い導線が収容される請求項１乃至７のいずれかに記載のタッチ式装置。
【考案の詳細な説明】
【技術分野】
【０００１】
本考案は、タッチ式発光装置、タッチ式発声装置などのタッチ式装置に関する。
【背景技術】
【０００２】
本願考案者は従前、タッチ式発光装置を設計し、台湾やアメリカなど多国で特許を取得している。例えば、特許文献１には、タッチ式発光装置が記載されている。
【０００３】
このタッチ式発光装置は、電池台、電池、発光台、発光体、スプリング、タッチボタンなどで構成され、この発光装置では、発光台が電池台の上部に設置されており、これらを組み立てる際に、まず電池を電池台の中に入れてから、発光台を電池台の上に嵌め込むようになっている。この発光装置は例えば発光ハンコ、発光キーホルダー、発光ボールペン、発光鉛筆削り、音楽ペン及び音楽ハンコなど、多くの小型物品に適用することができる。
【特許文献１】台湾特許公告第４０３２２９号(アメリカ特許第６，１５５，７００号「TOUCH-CONTROL EMITTING APPARATUS」)
【考案の開示】
【考案が解決しようとする課題】
【０００４】
しかしながら、従来のタッチ式発光装置では、次のような課題があった。
１．当該発光装置の生産及び製造工程で、発光台及び電池台の型を各別に作らなければならないため、生産コストが高くなる。また、発光台と電池台の組み立てのステップが必要で、生産製造工程が増大せざるを得ない。
２．発光台及び電池台は嵌め込み方式により結合されており、二つの台同士をしっかりと組合せることによって、離脱を防止することができるものの、電池のパワーが無くなり、電池を交換する際に、ユーザーは力を入れて発光台をこじ開けなければならず、大変不便で、電池の出し入れが大変面倒である。
【０００５】
本考案は、このような従来の課題に鑑みなされたもので、特に発光台と電池台の型を各別に作成することなく、しかも発光台と電池台の組み立てを不要として、生産コストの低減を図ることができ、また電池台の電池の出し入れを容易にすることのできる優れたタッチ式装置を提供すること、を目的とする。
【課題を解決するための手段】
【０００６】
上記課題を解決するために、本考案のタッチ式装置は、台、発光体（機能部）、１組の電池、スプリング、金属帽子を備え、各部に次のような特徴を具備する。
【０００７】
台は発光台と電池台を一体化し、上端に発光槽、下端に中空の電池槽を有する。特に台の発光層と電池槽との間、つまり台の発光槽の底部に電池槽に通じる穴が設けられる。また発光槽の側壁に縦方向に切り開いた切り口が設けられ、この切り口は下に向けて、電池槽の外壁に縦方向の凹型溝が形成される。また電池槽の壁には対称になっている下向き開口が二つ設けられ、底辺内壁には横方向に突出したリングが設置される。
【０００８】
発光体は長短二本の導線を有し、台の発光槽の上に設置される。この発光体はＩＣを利用して電子コントロールしてもよく、この場合、発光体はＩＣプレイト上にＩＣ及び薄型発光部品を実装したものに変更される。
【０００９】
１組の電池は台の電池槽の中に組み立てられる。
【００１０】
スプリングは長さが電池槽（内の拡張スプリング）よりも長く、電池槽の外に巻き付けられる。
【００１１】
金属帽子はスプリングの末端に位置し、接触され、且つ電池槽内の電池のマイナス極と距離を保つ。
【００１２】
発光体の短い導線は、発光槽の穴を通した後、電池槽内にある電池のプラス極と接触される。長い導線は発光槽の切り口に向けて延伸した後、下向きに曲げられ、凹型溝内に入れスプリングと接触される。
【００１３】
また、このタッチ式装置は、次のように変更し得る。
【００１４】
第１に、発光槽の底部に穴を二つ設け、発光槽の左右両側に対称的に切り口を二つ、これら左右両側の切り口の下に電池槽の外壁に沿って縦方向の凹型溝を二つ形成し、かつこれら二つの穴と二つの切り口及び凹型溝を全て同じ直径上に設けるようにしてもよい。
【００１５】
第２に、穴と切り口は発光槽と同じ直径上に位置し、この直径上に溝を形成し、発光体の長い導線を入れるようにしてもよい。
【００１６】
第３に、発光槽内に発光体の他に発声部品を増設することができる。
【００１７】
第４に、発光槽内の発光体を発声部品に変更することができる。
【００１８】
第５に、スプリング及び金属帽子を金属の導接カバーに変更することができる。この場合、導接カバーは金属リングの下端より導片を延伸し、リングは電池槽の外回りに被せている。導片は電池槽より下向きに底部まで延伸してからＬ字型に曲げられ、水平になった部分に隆起した部分があり、その凸部分が電池槽内の電池のマイナス極と距離を保つ。
【００１９】
第６に、スプリング及び金属帽子又は導接カバーを用いることに代えて、発光体の長い導線を電池槽の底まで延伸する。この場合、長い導線は発光槽の切り口に向けて延伸した後、折り曲げられて凹型溝内に入れられる。最後に電池槽底面にて折り曲げられ、折り曲げ部分と電池槽内の電池のマイナス極と距離を保つ。
【考案の効果】
【００２０】
本考案の装置は、上記構成を有し、特に発光台と電池台の型を各別に作成することなく、しかも発光台と電池台の組み立てを不要として、生産コストの低減を図ることができ、また電池台の電池の出し入れを容易にすることができる。
【考案を実施するための最良の形態】
【００２１】
以下、本考案の実施の形態を図面を参照しながら説明する。
【００２２】
（第１の実施の形態）
図1乃至図４に本考案の第１の実施の形態におけるタッチ式装置を示している。図１に示すように、タッチ式装置１０は台１、発光体２、電池３、スプリング４、金属帽子５により構成される。この組み立て後の状態は図２に示すとおりである。
【００２３】
図１において、台１は絶縁材料により射出成型され、図３に示すように、上部に機能部層として上端に開口を有する発光槽１１を備え、下部に下端（底部）に開口を有する電池槽１２を備える。発光槽１１の底部に電池層１２に通じる穴１１１が形成され、この発光槽１１の側面に縦方向に切り口１１２が形成される。これら穴１１１と切り口１１２は発光槽１１の同じ直径上に形成された溝の中に設けられる。また、電池槽１２の内壁の下端縁部に横方向に突出するリング１２１が形成される。電池３が電池槽１２の下端部（底部）から入れられた後、このリング１２１によって支えられて離脱することがない。さらに、電池槽１２の壁には二つの開口１２２が下に向いて、すなわち底部に向けて略逆Ｕ字形に形成される。なお、これら二つの開口１２２の幅は発光槽１１の部分まで上に行くほど狭くなっている。これらの開口１２２により、指或いは道具を使って電池台１２の底部を外にこじ開け、両サイドが外向きに拡張させられるため、電池３を簡単に取り出すことができる。また、片側一方の壁（外壁）には、発光層１１の切り口１１２に連続して縦方向に凹型溝１２３が設けられる。この凹型溝１２３は切り口１１２の真下に位置し、上から下に向けて延伸する。
【００２４】
図１において、発光体２はその底部に導電用の短い導線２１及び長い導線２２を有し、台１の発光槽１１の中に設置される。図４に示すように、短い導線２１は発光槽１１の底部の穴１１１を通され、折り曲げられて電池槽１２の中に入れられる。長い導線２２は横向きにして、サイドにある切り口１１２に向けて延伸され、この切り口１１２に沿って折り曲げられて、外壁の凹型溝１２３に沿って下に伸ばされる。このように切り口１１２及び凹型溝１２３により、長い導線２２が定置に付けられる。
【００２５】
図１において、電池３は、電池槽１２内にて単一或いは数個を連結して装填される。図４に示すように、電池３は電池槽１２の底部にあるリング１２１に支えられて離脱することがない。また、電池３のプラス極３ａは短い導線２１と接触して押さえられており、電池３のマイナス極３ｂは他の部品と接触されていない。
【００２６】
図１において、スプリング４は、弾力性のある金属のスクリュー状のものである。図４に示すように、電池槽１２の外回りに設置され、同時に長い導線２２と接触されている。スプリング４の頂点は発光槽１１の底辺に弾性係合し、その末端は金属帽子５の上に弾性係合される。
【００２７】
図１において、金属帽子５はお盆型の形状に形成され、底面の中央には、上方向に隆起した凸部分５１が設けられる。図４に示すように、スプリング４の末端は凸部分５１の周りの窪んだ部分と接触される。スプリング４は拡張スプリングである為、底にある金属帽子５と緩衝作用が生じ、且つ金属帽子５と電池槽１２との間に、適切な距離を保ち接触しない役割をしている。
【００２８】
図５に、このタッチ式装置の動作例を示している。台１が静止し(例えばペン管に固定している時)、外力によって金属帽子５を上に上昇させると(例えば書く時にペンの芯が押されて上昇し、それによって金属帽子５を押す時)、金属帽子５の凸部分５１が電池槽１２内の電池３のマイナス極３ｂと接触して電気が通り、発光体２がプラスマイナス電源を得て発光する。逆に、外力が解除されると(例えば書くのを止めて、力が解除されて下降する時)、スプリング４の元に戻る作用を介して、金属帽子５は電池槽１２と離れ、図４に示すような形に戻る。これにより電気が中断し、発光体２の光は消える。
【００２９】
このように第１の実施の形態によれば、台１は発光槽１１、電池槽１２とを一体化して形成されているので、その型製造及び組み立てステップを少なくすることができ、製造コストを大幅に低減することができる。また、電池３は電池槽１２の底部より入れれば固定することができ、従来のように他の部品を付加して閉じたりする必要がない。また、電池３を取り出すときは、電池槽１２のサイドに設けた開口１２２により、二本の指で電池３を電池槽１２の底部より取り出すことができる。よって、電池を入れるのに、従来のように、電池台及び発光台を分解する必要がなく、便利である。さらに、台１とお盆型の金属帽子５とによりスプリング４を挟むことができるほか、これらを組合せた後、物品或いは飾りの中に置くこともでき、業者が組み立てるのに便利である。
【００３０】
（第２の実施の形態）
図６及び図７に本考案の第２の実施の形態におけるタッチ式装置の台を示している。この台１では、発光槽１１の底部に電池槽１２に通じる穴１１１が二つ形成され、発光槽１１の左右両側には対称的に切り口１１２が形成される。なお、これら左右二つの切り口１１２と二つの穴１１１は全て発光槽１１の同じ直径上に形成された溝内に設けられる。また二つの切り口１１２に対応した電池槽１２の両外壁には、凹型溝１２３が設けられる。この台１の場合、二つの穴１１１と二つの切り口１１２及び凹型溝１２３があるため、ユーザーは発光体２の組み立て方向を特に気にしなくても、発光体２を発光槽１１に簡単、且つ迅速に組み立てることができる。この組み立てた後のタッチ発光状況は図８に示すとおりである。
【００３１】
(第３の実施の形態)
図９に本考案の第３の実施の形態におけるタッチ式装置を示している。第１、第２の実施の形態においては、スプリング４及び金属帽子５を利用して電気をОＮ、ОＦＦし、発光体２の発光をコントロールしているが、この実施の形態では、スプリング４及び金属帽子５がなくても、発光体２の発光をコントロールしようとするものである。この場合、（図９に示す）発光体２の長い導線２２は、図1に示すものよりも長く、この延長した金属の導線を水平に折り曲げて、折り曲げ部分２２１を作る。図１０に示すように、折り曲げ部分２２１により長い導線２２は略Ｌ字型を呈し、曲がり角の部分は電池槽１２の底部に当てて、折り曲げ部分２２１の先端が電池槽１２内の電池３のマイナス電極３ｂと適切な距離を保っている。この折り曲げ部分２２１は弾力性のある長い腕のように適切な弾力性を持ち、他の部分とも接触をせず、前述のスプリング４及び金属帽子５に代えることができる。よって外来物１００(ペンの芯や凸棒或いは其の他の実施物)が上向きに折り曲げ部分２２１を押し上げると、折り曲げ部分２２１は電極３ｂと接触し、発光体２は電流を得て発光する。逆に外力が解除されると(すなわち外来物１００が折り曲げ部分２２１に力を加えていない時)、折り曲げ部分２２１自身の弾力性により元に戻り、マイナス電極３ｂと離れて適切な距離を保ち、電気の通りを中断するため発光体２の光が消える。
【００３２】
(第４の実施の形態)
図１１に本考案の第４の実施の形態におけるタッチ式装置を示している。この実施の形態では、前述のスプリング４及び金属帽子５の代わりに、導接カバー６を用いる。この導接カバー６は、上端のアーチ型のリング６１と、このリング６１の下端に伸び、略Ｌ字型に折り曲げられた導片６２と、導片６２の水平導片の中央に隆起する凸部分６３とを有する。この組み立てた後の構造は図１２に示すとおりである。図１２に示すように、導接カバー６はリング６１を介して電池槽１２の外回りに係止される。Ｌ字型の導片６２は露出する長い導線２２のサイドと接触され、導片６２の曲がり角は電池槽１２の底部に当てられて、水平導片の凸部分６３は電極３ｂと適切な距離を保つ。このようにして外来物１００(例えばペンの芯・凸棒或いは其の他の実施物)で上向きに水平導片を押し上げると、凸部分６３は上に移動し、電池３のマイナス電極３ｂと接触して、発光体２はプラスマイナス電流を得て発光する。逆に外力が解除されると(即ち外来物１００が水平導片に対して、力を加えない時)、導片６２自身の弾力性により元に戻り、凸部分６３を電池３の電極３ｂから離して電流を遮断させる。これにより発光体２の光は消える。
【００３３】
なお、上述の導片６２の水平導片に凸部分６３を設置しなくても実施することができる。この場合、水平導片を直接、電池３の電極３ｂに接触させ、発光体２を発光させればよい。
【００３４】
(第５の実施の形態)
図１３に本考案の第５の実施の形態におけるタッチ式装置を示している。この実施の形態では、発光体２にＩＣを利用している。すなわち、この発光体２は、ＩＣ２４と、薄型発光部品２５と、これらを配置するＩＣプレイト２３とを備え、ＩＣ２４の電子コントロールにより、薄型発光部品２５に特定の発光形式を生じさせ得るように構成される。この場合、例えばちらちらと光る、色を変えて光る、強弱の光などの発光形式を生じさせるようにしている。また、同時に数個の発光部品２５を用いることにより、例えば順番にちらつく、色を徐々に変える、三原色の組合せによって、多くの色彩の変化を出すなど、さらに多くの変化のある発光形式を発生させることが可能である。グリッドアレイ方法(Grid Array)を用いてＩＣプレイト２３に色彩のトーテム(Totems)効果を生じさせることもできる。
【００３５】
また、ＩＣプレイト２３にはブザー、振動リード、ラッパ、発声シート或いは其の他の音を出せる部品などの発声部品２６を用いて実施することができる。すなわち、このタッチ式装置１０は発光装置のほか、発声装置或いは声、光の両機能を兼ね備えた装置としても実施することができるなど、他の異なる機能の装置として利用することができる。
【図面の簡単な説明】
【００３６】
【図１】本考案の第１の実施の形態におけるタッチ式装置の全体構成を示す分解斜視図である。
【図２】同実施の形態におけるタッチ式装置の全体構成を示す組立斜視図である。
【図３】同実施の形態におけるタッチ式装置の台を示す部分拡大断面図である。
【図４】同実施の形態におけるタッチ式装置の全体構成を示す全体拡大断面図である。
【図５】同実施の形態におけるタッチ式装置の動作例を示す全体拡大断面図である。
【図６】本考案の第２の実施の形態におけるタッチ式装置の台を示す部分拡大斜視図である。
【図７】同実施の形態におけるタッチ式装置の台を示す部分拡大断面図である。
【図８】同実施の形態におけるタッチ式装置の動作例を示す全体断面図である。
【図９】本考案の第３の実施の形態におけるタッチ式装置の全体構成を示す分解斜視図である。
【図１０】同実施の形態におけるタッチ式装置の動作例を示す全体断面図である。
【図１１】本考案の第４の実施の形態におけるタッチ式装置の全体構成を示す分解斜視図である。
【図１２】同実施の形態におけるタッチ式装置の動作例を示す全体断面図である。
【図１３】本考案の第５の実施の形態におけるタッチ式装置の全体構成を示す分解斜視図である。
【符号の説明】
【００３７】
１  台
１１  発光槽
１１１  穴
１１２  切り口
１２  電池槽
１２１  リング
１２２  開口
１２３  凹型溝
２  発光体
２１  短い導線
２２  長い導線
２２１  折り曲げ部分
２３  ＩＣプレイト
２４  ＩＣ
２５  薄型発光部品
３  電池
３ａ  プラス極
３ｂ  マイナス極
４  スプリング
５  金属帽子
５１  凸部分
６  導接カバー
６１  リング
６２  導片
６３  凸部分
１００  外来物
【図１】
0003100715.tif 000003
【図２】
0003100715.tif 000004
【図３】
0003100715.tif 000005
【図４】
0003100715.tif 000006
【図５】
0003100715.tif 000007
【図６】
0003100715.tif 000008
【図７】
0003100715.tif 000009
【図８】
0003100715.tif 000010
【図９】
0003100715.tif 000011
【図１０】
0003100715.tif 000012
【図１１】
0003100715.tif 000013
【図１２】
0003100715.tif 000014
【図１３】
0003100715.tif 000015